(57)【要約】      （修正有）【課題】ロックピン、ロックピンボルト及び、ロックピンナットがしっかりと締め付けられ、弛み、外れを防止する、免振ゴムワッシャーを提供する。【解決手段】ロックピン４とロックピンナット６の間に免振ゴムワッシャー１を装着し、ロックピンボルト３をロックピンナットに締め込む。その際にロックピンとロックピンナットの間にある免振ゴムワッシャーが双方に接着し、ジョイントケーシングメス７とジョイントケーシングオス８からロックピンとロックピンボルト及び、ロックピンナットに伝わる振動を免振ゴムワッシャーが免振材となりそれぞれの振動を吸収する事によりロックピンボルトとロックピンナットの弛み及び、外れの防止になる。【選択図】図３
0003235071.tif 000002
【実用新案登録請求の範囲】
【請求項１】
ジョイントケーシング接続の際にロックピンとロックピンナットの間に挟
み、ロックピンボルトを締めこみ固定する事で締め付け強度を増すとともに、振動等によるロックピン、ロックピンボルト及び、ロックピンナットの弛みを無くす事を特徴とする免振ゴムワッシャー。
【考案の詳細な説明】
【技術分野】
【０００１】
本考案は、ロックピン、ロックピンボルト及び、ロックピンナットの弛み防止の為に設けたワッシャーに関するものである。
【背景技術】
【０００２】
ジョイントケーシングを接続する際に、ロックピン、ロックピンボルト及び、ロックピンナットのみで締め付け固定していた。
【先行技術文献】
【特許文献】
【０００３】
【特許文献１】特開２０１８−１６９０３９号  公報
【考案の概要】
【考案が解決しようとする課題】
【０００４】
ジョイントケーシングを接続して施工する工事において、地中貫入施工中にジョイントケーシング本体の振動がロックピン、ロックピンボルト及び、ロックピンナットに伝わりロックピンボルトとロックピンナットが弛みロックピンが外れ、更には、ジョイントケーシングの接続が外れ下部側に取り付けられたジョイントケーシングが地中内に残されてしまう。その際にジョイントケーシング地中から取り除く為に本来計画していたものとは違う追加工事を施工する追加工事金額、工期の延滞、または、地中残存扱いとした際の残存ジョイントケーシング本体買い取り価格、これに替る補充ジョイントケーシング損料とその運搬費、工事延滞による損害。これら多くの事態による経済的負担、また、これらに伴う作業時間の増加による労働的負担がある。従って、ジョイントケーシング接続に伴うロックピン、ロックピンボルト及び、ロックピンナットの締め付け固定を確保する事で前途の欠点を解決しようとするものである。
【課題を解決するための手段】
【０００５】
本考案はジョイントケーシング接続の作業の際にロックピン、ロックピンボルト及び、ロックピンナットの弛みを防止する為にジョイントケーシング本体の振動を吸収し、また、摩擦抵抗のある素材のゴムで作られたワッシャーを装着することによりロックピン、ロックピンボルト及び、ロックピンナットの締め付けが弛むことなく、更にはジョイントケーシング接続が外れる問題点を解決している。
【考案の効果】
【０００６】
上述の様に、本考案の免振ゴムワッシャーはジョイントケーシングから伝わるロックピン、ロックピンボルト及び、ロックピンナットへの振動による弛みを無くす事は勿論、ロックピンボルトとロックピンナットの締め付け強度を増す事によってジョイントケーシング接続の外れによる不慮の事故の問題を解決している。
【図面の簡単な説明】
【０００７】
【図１】本考案の免振ゴムワッシャーの平面図
【図２】本考案の免振ゴムワッシャーの断面図
【図３】本考案免振ゴムワッシャーの一実施例を示す断面図。
【考案を実施するための形態】
【０００８】
ロックピン、ロックピンボルトをロックピンナットに締め込む際に、ロックピンとロックピンナットの間に隙間があり、また、ジョイントケーシングから伝わった振動を抑制させるものがない構造において、ロックピンボルトとロックピンナットの隙間を無くすとともに、ロックピン、ロックピンボルト及び、ロックピンナットに振動を伝えず、また、摩擦抵抗が大きい性質のゴム素材のワッシャーを作成する。
【実施例】
【０００９】
以下、添付図面に従って一実施例を説明する。１はゴム製の適宣素材にて一体化形成された免振ゴムワッシャー本体、２はロックピンボルト３とロックピンナット６突出部が接合される為に施した孔で、４はロックピンボルト３をロックピンナット６にねじ込み締め付ける事によりジョイントケーシングメス７とジョイントケーシングオス８を接続固定させる為の楔となる。５はロックピンボルト３がロックピン４から抜け落ちないように施したリングをロックピン４に溶接着けされている。
【００１０】
ジョイントケーシングを接続して施工する工事において、地中貫入施工中にジョイントケーシングの振動がジョイントケーシングメス７及び、ジョイントケーシングオス８からロックピン４に伝わり受けた振動によりロックピンボルト３がその振動に同調して回転しないように免振ゴムワッシャー本体１がその振動を吸収する。その免振効果によりロックピンボルト３及び、ロックピンナット６のねじ込み締め付けが弛まない。よって、ロックピン４、ロックピンボルト３及び、ロックピンナット６の弛みや外れを無くし、ひいては、ジョイントケーシングメス７及び、ジョイントケーシングオス８の接続が外れる事故を阻止する事が出来る。
【符号の説明】
【００１１】
１  免振ゴムワッシャー本体
２  ロックピンボルト孔
３  ロックピンボルト
４  ロックピン
５  ロックピンボルト抜け止めリング
６  ロックピンナット
７  ジョイントケーシングメス
８  ジョイントケーシングオス
【図１】
0003235071.tif 000003
【図２】
0003235071.tif 000004
【図３】
0003235071.tif 000005
【手続補正書】
【提出日】令和3年5月22日(2021.5.22)
【手続補正１】
【補正対象書類名】実用新案登録請求の範囲
【補正対象項目名】請求項１
【補正方法】変更
【補正の内容】
【請求項１】
ジョイントケーシング接続の際にロックピン及び、ロックピンボルトをロックピンナットに締めこむとき、ロックピン下面または、ロックピンナットに介在させるワッシャーの構造において、ゴムを平面に形成し、これを加熱プレス成型したゴム板を製造し、これをドーナツ状に打ち抜き加工した免振ゴムワッシャーを作成する。これをロックピンナット孔山側裾下面に取り付け、その上にロックピンを合わせロックピンボルトを締め込むことにより免振ゴムワッシャーを固定する。このとき、ロックピンナットまたは、ロックピンボルトの締め込みによる押圧力は免振ゴムワッシャーのゴム素材により反発してロックピンが押し上げられ、免振ゴムワッシャーがロックピンナットとロックピンの間に食い込むことにより、ロックピンナットとロックピン及び、ロックピンボルトに伝わる振動を抑制させると共に、ロックピンナットまたは、ロックピンボルトの回転を阻止しようとした弛み止めの構造。
【手続補正書】
【提出日】令和3年8月28日(2021.8.28)
【手続補正１】
【補正対象書類名】実用新案登録請求の範囲
【補正対象項目名】請求項１
【補正方法】変更
【補正の内容】
【請求項１】
ジョイントケーシング接続の際にロックピン及び、ロックピンボルトをロックピンナットに締めこむとき、ロックピン下面または、ロックピンナットに介在させるワッシャーの構造において、ゴムを平面に形成し、これを加熱プレス成型したゴム板にて製造し、ドーナツ状に打ち抜き加工した免振ゴムワッシャーをロックピンナット孔山側裾下面に取り付け、その上にロックピンを合わせロックピンボルトを締め込むことにより免振ゴムワッシャーを固定させることにより、ロックピンナットまたは、ロックピンボルトの締め込みによる押圧力は免振ゴムワッシャーのゴム素材により反発してロックピンが押し上げられ、免振ゴムワッシャーがロックピンナットとロックピンの間に食い込ませ、ロックピンナットとロックピン及び、ロックピンボルトに伝わる振動を抑制させると共に、ロックピンナットまたは、ロックピンボルトの回転を阻止しようとした弛み止めの構造。